(57)【要約】【課題】光ケーブルのような慎重に扱わなければならないケーブルのまとめられる際の力を作業者が直接確認しながら手指でまとめることのできるバンドを提供する。【解決手段】  結束バンドにおいて、頭部４と、これの一端より延長されたバンド部２とからなり、前記頭部４は、その長手方向の両縁に平行する土手部４ｊ，４ｋが形成され、該土手部４ｊ，４ｋの対向面にほこら状の嵌合凹部４ａを所定間隔に配列し、さらに前記バンド部２の両側に、前記嵌合凹部４ａに圧入される嵌合体３を前記嵌合凹部４ａの所定間隔に合うように設ける。【選択図】  図１
2007191182.tif 000002
【特許請求の範囲】
【請求項１】
頭部と、これの一端より延長されたバンド部とからなり、
前記頭部は、その長手方向の両縁に平行する土手部が形成され、
該土手部の対向面にほこら状の嵌合凹部を所定間隔に配列し、
更に前記バンド部の両側に、前記嵌合凹部に圧入される嵌合体を前記嵌合凹部の所定間隔に合わせて設けたことを特徴とするまとめバンド。
【請求項２】
前記頭部の土手部に隣接する部分の少なくとも一方に、前記バンド部が挿通する挿通孔を設けたことを特徴とする請求項１記載のまとめバンド。
【請求項３】
前記嵌合凹部の天井面に前記バンド部の両側に設けた嵌合体が上方より圧入される狭窄受入部が形成され、
該狭窄受入部は、略球状である前記嵌合体が前記嵌合凹部に圧入される際に前記狭窄受入部が該嵌合体を受入れ、抜けを防止するように天蓋状に形成されていることを特徴とする請求項１または２記載のまとめバンド。
【発明の詳細な説明】
【技術分野】
【０００１】
本発明は、データ転送用の光ケーブルの如く取扱いを慎重にしなければならない繊細なケーブル等を柔らかく保持してまとめたり、保持したり、固定したりするまとめバンドに関する。
【背景技術】
【０００２】
コピー機やファックス等のＯＡ機器またはエアコンや電子レンジや冷蔵庫等の家電製品、あるいはエンジンルーム内の電気配線（ハーネス）といった銅線を絶縁被覆で保護しているような電気配線を固定したりまとめたりするために合成樹脂製の結束バンドが使用されている。
【０００３】
この結束バンドは頭部の挿通穴に１個の爪部を揺動自在に設けると共に、バンド部の片面に前記爪部に噛合するラチェット歯を有するものであり、前記バンド部が挿通穴に“挿通係合”するものである。
【０００４】
そして、この結束バンドは、例えば、４〜７ｋｇｆの締め付け力で電気配線等を締め付けるための結束機が使用され、この結束機によって所定の引き締め力になるまで締め付けられた複数の配線が圧密されて束状に確実に緊縛される。
【発明の開示】
【発明が解決しようとする課題】
【０００５】
近年の高速通信回線の普及により、光ファイバーからなる光通信用のケーブルが多く使用されている。
【０００６】
この光ファイバーは、データの高速転送能力に極めて優れており、その構造は、屈折率の異なる直径１０μｍ程度のコア（芯）と、それを覆う直径約５０μｍのクラッド（鞘）からなる二重構造になっており、コアとクラッドは石英ガラスで形成されている。
【０００７】
この光ファイバーは前記の如く、コアが非常に繊細であり屈曲や押圧、引張りや圧縮等の外部応力によって簡単に破断したり割れてしまうことがある。
【０００８】
この光ファイバーを１本の被覆の中に数十から数百本又は千本程度を束ねたものが光ケーブルであり、従ってこの光ケーブルは屈曲や押圧、引張りに対して脆く、慎重に扱わなければならない。
【０００９】
従って、屈曲や押圧に対して強靭である銅線を芯線とする電気配線を結束する場合と同じように結束機を使用して光ケーブルを結束バンドで結束すると、結束バンドが被覆に強く食い込み、内部に束ねられている光ファイバーが破断したり割れたりするという問題がある。
【００１０】
本発明に係るまとめバンドは、前記の問題を解決するために考案されたものであり、光ケーブルのように慎重に扱わなければならない繊細なケーブルを、作業者が直接手でケーブルの状態を確認しながら柔らかくまとめることのできるまとめバンドを提供することを目的とする。
【課題を解決するための手段】
【００１１】
前記目的を達成するための本願発明に係るまとめバンドは、頭部と、これの一端より延長されたバンド部とからなり、前記頭部は、その長手方向の両縁に平行する土手部が形成され、該土手部の対向面にほこら状の嵌合凹部を所定間隔に配列し、更に前記バンド部の両側に、前記嵌合凹部に圧入される嵌合体を前記嵌合凹部の所定間隔に合わせて設けたことを特徴としている。
【００１２】
更に、前記頭部の土手部に隣接する部分の少なくとも一方に、前記バンド部が挿通する挿通孔を設けたことを特徴としている。
【００１３】
前記嵌合凹部の天井面に前記バンド部の両側に設けた嵌合体が上方より圧入される狭窄受入部が形成され、該狭窄受入部は、略球状である前記嵌合体が前記嵌合凹部に圧入される際に前記狭窄受入部が該嵌合体を受入れ、抜けを防止するように天蓋状に形成されていることを特徴としている。
【００１４】
更に詳しくは、前記嵌合凹部の狭窄受入部の入口の同縁は前記嵌合体を受入れるための案内面が形成されていることを特徴としている。
【００１５】
前記嵌合凹部の天蓋状の天井面は略平坦に形成され、一方、前記嵌合体の前記天蓋状の天井面に適合するように一部が平坦に形成されていることを特徴としている。
【００１６】
前記頭部とバンド部はポリオレフィン系エラストマー樹脂で一体成形されていることを特徴としている。
【００１７】
前記バンド部は薄板部と、その両縁に該薄板部の縁部より一部が突出するように嵌合体が所定間隔で配列され、
該嵌合体は薄板部の両縁に巾方向に対称的に配列されていることを特徴としている。
【００１８】
前記嵌合体は頭部に形成された嵌合凹部の天蓋状の狭窄受入部に嵌入され易いが、脱出が困難な形状に案内面と天井面とが異なる形状に形成されていることを特徴としている。
【００１９】
前記バンド部の両縁に形成された嵌合体は千鳥状に配列されていることを特徴としている。
【００２０】
前記嵌合凹部と、該嵌合凹部に圧入される嵌合体は、前記土手部の長手方向に２個以上配列されていることを特徴としている。
【００２１】
前記バンド部の両縁に形成された嵌合体は略球状であり、該バンド部の表裏に関係なく前記嵌合凹部に押圧嵌合されることを特徴としている。
【発明の効果】
【００２２】
本発明に係るまとめバンドは、バンド部を頭部の嵌合凹部に重なるように押込むだけで、該バンド部に形成された嵌合体が前記頭部の嵌合凹部に嵌合する。従って、複数の光ケーブル等をまとめる際に、作業者がバンド部の張力や前記光ケーブルへの負荷の状態を手で直接確認しながら結束することができるので、結束機を使用した場合のようにケーブルを強く緊縛することなく、被結束物である光ケーブルを保持するので、その中の光ファイバーが強持される虞がない上に、確実かつ迅速に保持できるので、前記光ケーブル内に封入されている光ファイバーが破断したり割れたりすることを防止しつつ、その作業性が向上する。
【００２３】
また、前記頭部に形成された挿通孔にバンド部を挿通させた状態で該バンド部を前記頭部に嵌合することでループ形状を変形したり、嵌合状態を確実にしたりすることができる。
【発明を実施するための最良の形態】
【００２４】
以下、本発明の実施の形態を図面を参照して説明する。
図１及び図２（ａ）は本発明に係るまとめバンド１の概略図を示している。
【００２５】
本実施例に係るまとめバンド１は、頭部４と、該頭部４の一端より延長されるバンド部２で形成されている。そして、前記頭部４は、その長手方向の両縁に平行する土手部４ｊ，４ｋが形成され、該土手部４ｊ，４ｋの対向面にほこら状の嵌合凹部４ａを所定間隔にそれぞれ２個設け、更に前記バンド部２の両側に、前記嵌合凹部４ａに圧入される嵌合体３が前記嵌合凹部４ａの所定間隔に合うように設けられている。
【００２６】
図２（ｂ）のように、前記土手部４ｊ，４ｋの対向面にほこら状の嵌合凹部４ａを所定間隔にそれぞれ４個設けても良く、該嵌合凹部４ａと前記嵌合体３との嵌合がより確実に行われるようにしたものである。
【００２７】
また、図２（ｃ）のように、前記土手部４ｊ，４ｋの対向面にほこら状の嵌合凹部４ａを所定間隔かつ、千鳥状に設けることもできる。
【００２８】
次に、第１の実施の形態を図３乃至図７を参照して説明する。
本実施の形態に係るまとめバンド１は、土手部４ｊ，４ｋの対向面にほこら状の嵌合凹部４ａを所定間隔にそれぞれ２個設け、バンド部２の両側に、前記嵌合凹部４ａに圧入される嵌合体３が前記嵌合凹部４ａの所定間隔に合うように設けられ、さらに前記嵌合体３が略球状である。
【００２９】
前記嵌合凹部４ａの狭窄受入部５の入口の同縁の案内面５ａは、前記バンド部２に形成された嵌合体３が圧入された際に受入れ易いように傾斜した案内面に形成されている。従って、まとめバンド１のバンド部２によって複数の光ケーブルを取り囲むようにしてその光ケーブルにかかる力を確認しながらループ状に前記バンド部２を形成させて、該バンド部２を頭部４に重なるように配置して手指で押圧すると、前記バンド部２の嵌合体３が前記頭部４の嵌合凹部４ａに嵌入し、前記光ケーブルを結束することができる。
【００３０】
前記バンド部２に形成された嵌合体３は略球状であり、該バンド部２の表裏に関係なく前記嵌合凹部４ａに押圧嵌合される。
【００３１】
結束状態において、まとめバンド１の長手方向に引張られる力に対しては、土手部４ｊ，４ｋに形成された前記嵌合凹部４ａと前記嵌合体３が確実に嵌合しており、外れることはない。
【００３２】
また、前記嵌合凹部４ａに設けた前記狭窄受入部５の天蓋状の天井面５ｂは、前記嵌合体３に係合するように形成されているので、バンド部２を頭部４から引き剥がすようにして結束状態を解除することもできる。
【００３３】
さらに、頭部４の土手部４ｊ，４ｋに隣接して前記バンド部２が挿通する挿通穴４ｂ，４ｃが設けられており、この挿通穴４ｂ，４ｃにバンド部２を挿通させた後にバンド部２を頭部４に押圧嵌合し、バンド部２の自由端２ａをまとめたり、バンド部２により形成されたループへの負荷や衝撃によって嵌合部が外れたりしないようになっている。また、バンド部２を挿通穴４ｂに挿通させて第１のループ７を形成して、さらに該第１のループの外側に第２のループ８を形成することもできる。
【００３４】
上述の如く、第１の実施の形態に係るまとめバンド１は、バンド部２を頭部４に“押圧嵌合”してループが形成されるので、光ケーブル等の状態を作業者が把握しながらまとめバンド１を操作して柔らかくまとめることができる。そして、そのバンド部２は着脱自在であるので、テープを引き剥がず如く押圧嵌合されたバンド部２を頭部４から脱出させることができる。また、バンド部２の表裏に関係なく該バンド部２が前記嵌合凹部４ａに押圧嵌合されると共に、土手部４ｊ，４ｋに隣接してバンド挿通穴４ｊ，４ｋを設けたので、光ケーブル等をまとめるループ形状は状況に合わせて変更することができる。
【００３５】
次に、第２の実施の形態を図８乃至図１２を参照して説明する。同符号を用いているものについては説明を省略する。
【００３６】
本実施の形態に係るまとめバンド１は、嵌合凹部４ａの天蓋状の天井面５ｂを略平坦に形成し、一方、前記嵌合体３を前記嵌合凹部４ａに押圧嵌合した際にその天井面に係合し、かつ、前記嵌合体３の係合面３ａが略平坦となるように形成されているので、確実な嵌合状態が維持される。
【００３７】
上記のように構成したことにより、第２の実施の形態に係るまとめバンド１は、バンド部２を頭部４に重ねた後に手指で押圧するだけで嵌合するので、光ケーブルに前記バンド部２を巻き付けてまとめる操作を迅速に行うことができる。
【００３８】
次に、まとめバンド１の使用状態におけるループの形態について図１２を参照しながら説明する。
【００３９】
図１２（ａ）に示す如く、頭部４から延長されるバンド部２の自由端２ａ折り返して、頭部４にバンド部２を押込んでループを形成するものであり、該ループに光ケーブルを柔らかくまとめるものである。
【００４０】
この結束状態の解除方法は、テープを引き剥がす如くバンド部２の自由端２ａを上方に引張るだけであり、前記嵌合凹部４ａから前記嵌合体３が引き抜かれて、ループが開口する。
【００４１】
図１２（ｂ）に示す如く、バンド部２の自由端２ａを頭部４の挿通孔４ｂに挿通させ、さらに一方の挿通孔４ｃに前記自由端２ａを挿通させると共に、バンド部２を頭部４に押込んでループを形成するものであり、ループを形成しているバンド部２に負荷がかかったり、前記自由端２ａを引張ってもその嵌合は解除され難いので、確実な嵌合状態を維持することができる。
【００４２】
この嵌合状態を解除するには、ループ形成の手順とは逆に、挿通孔４ｃから自由端２ａを引抜き、次に該自由端２ａをテープを引き剥がす如く上方に引張って嵌合を解除し、さらにもう一方の貫通孔４ｂから自由端２ａを引き抜く操作を行う。
【００４３】
このようにループの解除には複数の手順を必要とし、光ケーブルをまとめた状態において、バンド部２とその自由端２ａは挿通孔４ｂ，４ｃに挿通されているので、バンド部２及び自由端２ａにかかる負荷によって簡単にループが開口してしまうことがない。
【００４４】
次に、図１２（ｃ）に示す如く、頭部４の下方にループを形成するようにバンド部２を折り返し、バンド部２を頭部４に押込んで嵌合し、そのループで光ケーブルを柔らかくまとめるものである。
【００４５】
このループを解除するには、テープを引き剥がす如く前記自由端２ａを上方に引き上げるだけである。
【００４６】
図１２（ｄ）に示す如く、頭部４の下方にループを形成するようにバンド部２を折り返し、さらに頭部４の挿通孔４ｃに前記バンド部２を挿通させ、そのバンド部２を前記頭部４に押込んで嵌合してループを形成するものである。
【００４７】
バンド部２が挿通孔４ｃを挿通した状態で頭部４に係合しているので、ループ部分にかかる負荷や衝撃によって嵌合状態が解除されないようになっている。
【００４８】
この結束状態はテープを引き剥がす如く前記自由端２ａを上方に引き上げ、前記挿通孔４ｃから該自由端２ａを引き抜くだけでループは開口する。
【００４９】
次に、図１２（ｅ）に示す如く、頭部４の下に小さな第１のループ７を形成し、さらに該第１のループ７の外側に第２のループ８を形成し、前記頭部４にバンド部２を押込んだものである。
【００５０】
このループは、例えば、第１のループ７にイヤホンのケーブルを保持し、第２のループ８にそのイヤホンのケーブルを束ねてまとめたものを保持させて整理することができる。
【００５１】
このループを解除する操作は、テープを引き剥がす如くバンド部２の自由端２ａを上方に引張るだけであり、その操作で第２のループ８は開口する。そして、前記第２のループ８に束ねてまとめられているイヤホンのケーブル等を外して使用することができる。
【００５２】
また、前記第１のループ７は前記イヤホンのケーブルに保持されているので、イヤホンを使用する際にまとめバンド１を紛失することがない。
【００５３】
本発明に係るまとめバンド１は上述の如く構成しているので、バンド部２により形成されるループに光ケーブルを柔らかく保持した後に該バンド部２を頭部４に押込むだけで使用できるから、作業者が光ケーブルの屈曲や変形に気をつけながら直接指で操作できるので、光ケーブルを始め慎重に扱わなければならない繊細なケーブルをまとめるのに適している。
【００５４】
また、前記バンド部２と頭部４との係合にバンド部２の表裏は関係なく、また、頭部４に挿通孔４ｂ，４ｃを設け、さらにポリオレフィン系エラストマー樹脂のようなゴム弾性を有する柔軟な合成樹脂から成形されるので、前記バンド部２により形成されるループは様々な形状をとることができる。
【図面の簡単な説明】
【００５５】
【図１】本発明の実施形態に係る結束バンドの概略構成図である
【図２】（ａ）〜（ｃ）は、本発明の実施形態に係る結束バンドの正面図である
【図３】本発明の実施形態に係る結束バンドの要部拡大正面図である
【図４】図３の底面図である
【図５】図３のＡ−Ａ矢視断面図である
【図６】本発明の実施形態に係る結束バンドの係合状態を示す要部拡大断面図である
【図７】本発明の実施形態に係る結束バンドの係合状態を示す要部拡大断面図である
【図８】本発明の他の実施形態に係る結束バンドの要部拡大正面図である
【図９】図８の底面図である
【図１０】図８のＸ−Ｘ矢視断面図である
【図１１】本発明の他の実施形態に係る結束バンドの係合状態を示す要部拡大断面図である
【図１２】本発明の他の実施形態に係る結束バンドの係合状態を示す要部拡大断面図である
【図１３】（ａ）〜（ｅ）は、本発明の実施形態に係る結束バンドの使用形態を示す概略図である
【符号の説明】
【００５６】
１      まとめバンド
２      バンド部                            ２ａ    自由端
３      嵌合体                              ４      頭部
４ａ    嵌合凹部                      ４ｂ，４ｃ    挿通孔
４ｊ，４ｋ    土手部                              ７      第１のループ
８      第２のループ
【図１】
2007191182.tif 000003
【図２】
2007191182.tif 000004
【図３】
2007191182.tif 000005
【図４】
2007191182.tif 000006
【図５】
2007191182.tif 000007
【図６】
2007191182.tif 000008
【図７】
2007191182.tif 000009
【図８】
2007191182.tif 000010
【図９】
2007191182.tif 000011
【図１０】
2007191182.tif 000012
【図１１】
2007191182.tif 000013
【図１２】
2007191182.tif 000014
【図１３】
2007191182.tif 000015